(57)【要約】  様々な例示的な実施形態において、ヘアスタイルの真直度値を決定する方法が提供される。本方法は、以下の工程を含み得る：毛髪が描かれているデジタル画像中で少なくとも１つの毛髪分析領域を確認および／または定義する工程；少なくとも１つの毛髪分析領域に描かれている毛髪の毛髪プロファイルを確認する工程、ここで該毛髪分析領域に描かれた全ての毛髪の毛髪プロファイルが全体の毛髪プロファイルを形成する；毛髪プロファイルの主方向を確認する工程；および、毛髪プロファイルの主方向および全体の毛髪プロファイルに基づいてヘアスタイルの真直度値を確認する工程。【選択図】図５
2020500370.tif 000002
【特許請求の範囲】
【請求項１】
ヘアスタイルの真直度値を確認するための方法および装置であって、以下の工程：
毛髪が描かれているデジタル画像中で少なくとも１つの毛髪分析領域を確認および／または定義する工程；
前記少なくとも１つの毛髪分析領域に描かれている毛髪の毛髪プロファイルを確認する工程、ここで、該毛髪分析領域に描かれた全ての毛髪の毛髪プロファイルが全体の毛髪プロファイルを形成する；
前記毛髪プロファイルの主方向を確認する工程；および、
前記毛髪プロファイルの主方向および前記全体の毛髪プロファイルに基づいて、ヘアスタイルの真直度値を確認する工程
を含む、方法および装置。
【請求項２】
毛髪プロファイルの主方向および全体の毛髪プロファイルに基づく、前記ヘアスタイルの真直度値の確認が、構造テンソルを用いてコヒーレンスを確認することおよび／または全体の毛髪プロファイルの角度分布の分散を確認することを含む、請求項１に記載の方法。
【請求項３】
少なくとも１つの毛髪分析領域を確認または定義する工程は、ユーザによって少なくとも１つの毛髪分析領域を定義することを含む、請求項１または２に記載の方法。
【請求項４】
ユーザによって少なくとも１つの毛髪分析領域を定義する工程は、毛髪分析領域の位置および／または形状および／またはサイズを定義することを含む、請求項３に記載の方法。
【請求項５】
少なくとも１つの毛髪分析領域を確認および／または定義する工程は、
毛髪がデジタル画像中に描かれる、毛髪表示領域を確認すること、および
毛髪表示領域の少なくとも一部を、少なくとも１つの毛髪分析領域として定義することを含む、請求項１〜３のいずれかに記載の方法。
【請求項６】
前記少なくとも１つの毛髪分析領域が前記毛髪表示領域の全体を含む、請求項５に記載の方法。
【請求項７】
前記少なくとも１つの毛髪分析領域が複数の毛髪表示領域を含む、請求項１〜６のいずれかに記載の方法。
【請求項８】
複数の毛髪分析領域がそれらの中心点位置において互いに異なる、請求項７に記載の方法。
【請求項９】
複数の毛髪分析領域がそれらのサイズにおいて互いに異なる、請求項８に記載の方法。
【請求項１０】
複数の毛髪分析領域が共通の中心点位置を有する、請求項９に記載の方法。
【請求項１１】
毛髪分析領域の中心点位置に対する、確認された真直度値の関係を作成する工程をさらに含む、請求項８に記載の方法。
【請求項１２】
毛髪分析領域のサイズに対する、ヘアスタイルの確認された真直度値の関係を作成する工程をさらに含む、請求項８に記載の方法。
【請求項１３】
決定された結果を表示する工程をさらに含む、請求項１〜１２のいずれかに記載の方法。
【請求項１４】
データ処理装置、および
表示装置
を含み、ここで、該装置は、請求項１〜１３のいずれかに記載の方法を実行するように設計されている、ヘアスタイルの真直度値を決定するための装置。
【請求項１５】
以下の工程：
ａ）請求項１〜１３のいずれかに記載の方法によって個人のヘアスタイルの真直度値を確認する工程、および
ｂ）確認された真直度値に応じて個別のトリートメント指示を出力する工程
を含むことを特徴とする、個別対応型のヘアトリートメントのための方法。
【発明の詳細な説明】
【技術分野】
【０００１】
本発明は、ヘアスタイルの真直度値を決定するための方法および装置に関する。
【背景技術】
【０００２】
毛髪の矯正は、多くの異なる方法によって達成可能な重要な美容目的を構成し得る。逆に、捲縮またはカールもまた望ましいことがある。
【０００３】
例えばそのような方法としては、毛髪矯正のための非反応性ヘアケア製品、例えば毛髪上に残すことが意図され、リーブオン製品（例えば「コンディショナー」）とも呼ばれる製品など、および／または、例えば塗布後に洗い流されるもの（例えばヘアマスク）などの毛髪から再び取り除かれることが意図される製品の使用が挙げられる。
【０００４】
毛髪矯正方法はまた、波状のみならず直線状でもよい比較的永久的な所望の構造を毛髪に提供するのに適し得る、パーマなどの反応性製品、またはストレートナーおよびリラクサーとして知られるものの塗布を含む。
【０００５】
さらなる毛髪矯正方法において、矯正アイロンなどのヘアスタイリングツールを使用してもよい。
【０００６】
矯正結果の評価、およびおそらく矯正される毛髪の真直度もまた、これまで主観的に行われていた。すなわち、矯正後に（そして、おそらくは事前にも）毛髪が視覚的に検査され、満足のいく矯正が達成されているかどうかに関して評価が行われ、または代用方法を使用して間接的に毛髪が評価されている。例えば、毛髪の梳毛性は、この種の代用方法として決定されることができ、間接的に毛髪の真直度を確認することを可能にし得る。
【０００７】
この種の梳毛性の決定（例えば定量化）は、実験室では比較的複雑に行われることができるが、エンドユーザには適さず、またモバイル用途では使用することができない。
【発明の概要】
【発明が解決しようとする課題】
【０００８】
したがって、例えばヘアスタイルなどの毛髪の真直度の定量的評価の必要性がある。例えば、ユーザによっても毛髪の真直度が決定できるように、設備費用が全くない、または設備費用が少ない単純な実用性もまた、ここでは望ましいであろう。
【０００９】
様々な例示的な実施形態において、ヘアスタイルの真直度を画像処理方法（画像処理は、画像分析と呼ぶこともできる）の目標パラメータとして正確に決定、例えば確認することを可能にする方法が提供される。
【課題を解決するための手段】
【００１０】
様々な例示的な実施形態において、本方法は、設備投資をほとんどまたは全く伴わずに実行することができる。例えば、本方法は、タブレットまたはスマートフォン上のアプリによって実行可能である。例えば、これは、例えばヘアスタイルのデジタル画像を記録するためのスマートフォンまたはタブレットを使用し且つスマートフォン／タブレットによって決定される真直度値により、専門家の助力なしに且つ検査のための毛髪サンプルを提供する必要なしに、ユーザが自分のヘアスタイルの真直度値を決定することを可能にし、スマートフォン／タブレットは、画像を外部のデータ処理装置、例えばクラウドに提供し、そこで決定された結果を受信してユーザに表示するために、様々な例示的な実施形態において使用されることができる。
【００１１】
様々な例示的な実施形態において、ヘアスタイルの真直度値を決定する方法が提供される。本方法は、毛髪が描かれているデジタル画像中で少なくとも１つの毛髪分析領域を確認および／または定義する工程と、少なくとも１つの毛髪分析領域に描かれている毛髪の毛髪プロファイルを確認する工程（ここで、毛髪分析領域に描かれた全ての毛髪の毛髪プロファイルが全体の毛髪プロファイルを形成する）と、毛髪プロファイルの主方向を確認する工程と、毛髪プロファイルの主方向および全体の毛髪プロファイルに基づいてヘアスタイルの真直度値を確認する工程とを含んでもよい。
【００１２】
様々な例示的な実施形態において、毛髪プロファイルの主方向および全体の毛髪プロファイルに基づくヘアスタイルの真直度値の確認は、構造テンソルの使用によってコヒーレンスを確認することおよび／または全体の毛髪プロファイルの角度分布の分散を確認することを含んでもよい。
【００１３】
様々な例示的な実施形態において、少なくとも１つの毛髪分析領域を確定および／または定義する工程は、ユーザによって少なくとも１つの毛髪分析領域を定義することを含んでもよい。
【００１４】
様々な例示的な実施形態において、ユーザによって少なくとも１つの毛髪分析領域を定義する工程は、毛髪分析領域の位置および／または形状および／またはサイズを定義することを含んでもよい。
【００１５】
様々な例示的な実施形態において、少なくとも１つの毛髪分析領域を確認および／または定義する工程は、毛髪がデジタル画像中に描かれる毛髪表示領域を決定すること、および毛髪表示領域の少なくとも一部を少なくとも１つの毛髪分析領域として定義することを含んでもよい。
【００１６】
様々な例示的な実施形態において、少なくとも１つの毛髪分析領域は、毛髪表示領域の全体を含んでもよい。
【００１７】
様々な例示的な実施形態において、少なくとも１つの毛髪分析領域は、複数の毛髪表示領域を含んでもよい。
【００１８】
様々な例示的な実施形態において、複数の毛髪分析領域は、それらの中心点位置において互いに異なっていてもよい。
【００１９】
様々な例示的な実施形態において、複数の毛髪分析領域は、それらのサイズにおいて互いに異なっていてもよい。
【００２０】
様々な例示的な実施形態において、複数の毛髪分析領域は、共通の中心点位置を有してもよい。
【００２１】
様々な例示的な実施形態において、本方法は、毛髪分析領域の中心点位置に対する、確認された真直度値の関係を作成することを含んでいてもよい。
【００２２】
様々な例示的な実施形態において、本方法は、毛髪分析領域のサイズに対する、ヘアスタイルの決定された真直度値の関係を作成することを含んでいてもよい。
【００２３】
様々な例示的な実施形態において、本方法は、決定された結果を表示する工程も含んでいてもよい。
【００２４】
様々な例示的な実施形態において、ヘアスタイルの真直度を決定するための装置が提供される。装置は、データ処理装置および表示装置を含んでもよく、ここで、該装置は、上記方法のうちの１つを実行するように設計されていてもよい。
【００２５】
本発明の例示的な実施形態が図面に示されており、以下にさらに詳細に説明される。
【図面の簡単な説明】
【００２６】
【図１Ａ】図１Ａは、様々な例示的な実施形態にかかる、ヘアスタイルの真直度値を確認するための方法で使用するために異なる程度に矯正された毛髪の画像を示している。
【図１Ｂ】図１Ｂは、様々な例示的な実施形態にかかる、ヘアスタイルの真直度値を確認するための方法で使用するために異なる程度に矯正された毛髪の画像を示している。
【図２Ａ】図２Ａは、様々な例示的な実施形態にかかる、ヘアスタイルの真直度値を確認するための方法の結果のグラフィカル図を示している。
【図２Ｂ】図２Ｂは、様々な例示的な実施形態にかかる、ヘアスタイルの真直度値を確認するための方法の結果のグラフィカル図を示している。
【図３Ａ】図３Ａは、様々な例示的な実施形態にかかる、ヘアスタイルの真直度値を確認するための方法の結果を示す表を示している。
【図３Ｂ】図３Ｂは、様々な例示的な実施形態にかかる、ヘアスタイルの真直度値を確認するための方法の結果を示す表を示している。
【図４Ａ】図４Ａは、様々な例示的な実施形態にかかる、ヘアスタイルの真直度値を確認するための方法を説明するグラフィカル図を示している。
【図４Ｂ】図４Ｂは、様々な例示的な実施形態にかかる、ヘアスタイルの真直度値を確認するための方法を説明するグラフィカル図を示している。
【図４Ｃ】図４Ｃは、様々な例示的な実施形態にかかる、ヘアスタイルの真直度値を確認するための方法で使用するために異なる程度に矯正された毛髪の画像を示している。
【図４Ｄ】図４Ｄは、様々な例示的な実施形態にかかる、ヘアスタイルの真直度値を確認するための方法で使用するために異なる程度に矯正された毛髪の画像を示している。
【図４Ｅ】図４Ｅは、様々な例示的な実施形態にかかる、ヘアスタイルの真直度値を確認するための方法で使用するために異なる程度に矯正された毛髪の画像を示している。
【図４Ｆ】図４Ｆは、様々な例示的な実施形態にかかる、ヘアスタイルの真直度値を確認するための方法で使用するために異なる程度に矯正された毛髪の画像を示している。
【図４Ｇ】図４Ｇは、様々な例示的な実施形態にかかる、ヘアスタイルの真直度値を確認するための方法で使用するために異なる程度に矯正された毛髪の画像を示している。
【図４Ｈ】図４Ｈは、様々な例示的な実施形態にかかる、ヘアスタイルの真直度値を確認するための方法で使用するために異なる程度に矯正された毛髪の画像を示している。
【図５】図５は、様々な例示的な実施形態にかかる、ヘアスタイルの真直度値を確認するための方法のフロー図を示している。
【図６】図６は、様々な例示的な実施形態にかかる、ヘアスタイルの真直度値を確認するための装置のグラフィカル描写を示している。
【発明を実施するための形態】
【００２７】
以下の詳細な説明において、本出願の一部を形成し且つ本発明を実施することができる特定の実施形態が例示として示されている添付の図面を参照する。この点に関して、「ａｂｏｖｅ（上）」、「ｂｅｌｏｗ（下）」、「ａｈｅａｄ（前）」、「ｂｅｈｉｎｄ（後）」、「ｆｒｏｎｔ（前）」、「ｒｅａｒ（後）」などの方向の用語は、説明された図の向きに関して使用される。実施形態の構成要素は、複数の異なる向きに配置されることができるため、方向の用語は、例示として使用されており、決して限定的なものではない。本発明の保護範囲から逸脱することなく、他の実施形態を使用することができ、構造的または論理的な変更を加えることができることは言うまでもない。本明細書に記載の様々な例示的な実施形態は、特に明記しない限り互いに組み合わせることができることは言うまでもない。したがって、以下の詳細な説明は、限定として解釈されるべきではなく、本発明の保護範囲は、添付の特許請求の範囲によって定義される。
【００２８】
本明細書では、デジタル画像は、例えばｘ軸およびｙ軸を有する座標系においてデータ処理システムによって画像ドット（画素とも呼ばれる）の二次元（平面）配列として表示されることができるデータパケットを意味すると理解されることができ、各画像ドットは、ｘ、ｙ座標対としての少なくとも１つの画像位置と強度情報とを含み、強度情報は、例えば、モニタの画素または印刷画像の印刷ドットの色として表示されることができる。該強度情報は、カラー画像において、個々のカラーチャンネルに関連し得る。デジタル画像は、例えば、デジタルカメラを使用して記録された写真、またはデジタルカメラを使用して記録されたビデオシーケンスの個々の画像とすることができる。
【００２９】
図１Ａおよび図１Ｂは、様々な例示的な実施形態にかかる、ヘアスタイルの真直度値を確認するための方法で使用するために異なる程度に矯正された毛髪の画像１００を示している。
【００３０】
図１Ａは、カーリーヘア１０２のデジタル画像１００ａの図を示し、図１Ｂは、ストレートヘア１０２のデジタル画像１００ｂの図を示している。
【００３１】
観察者にとって直ちに明らかな図１Ａおよび図１Ｂからの毛髪の真直度の差を定量化するために、様々な例示的な実施形態において、各画像に対して画像処理方法が実行され得る。
【００３２】
本方法は、最初に図１Ａを参照して説明される。
【００３３】
様々な例示的な実施形態にしたがうヘアスタイルの真直度を確認するための方法を実行可能にするために、毛髪１０２（この場合はカーリーヘア）を示す画像１００ａがデジタル的に提供され得る。デジタル画像１００ａは、例えばデータ処理装置に提供され得る。
【００３４】
様々な例示的な実施形態において、画像１００ａ内で、少なくとも１つの毛髪分析領域Ｂ１００が決定され得る。
【００３５】
図１Ａおよび図１Ｂに示す例示的な実施形態において、毛髪分析領域Ｂ１００は、デジタル画像１００、１００ａ、１００ｂの実質的に全領域を含み、矩形、例えば正方形である。
【００３６】
様々な例示的な実施形態において、毛髪分析領域Ｂ１００は、毛髪分析領域の部分領域を含んでもよい。
【００３７】
様々な例示的な実施形態において、デジタル画像１００は、毛髪表示領域に加えて、例えば物体、身体部分などが表示されていてもよいさらなる表示領域を含んでもよい。毛髪分析領域Ｂ１００は、他の表示領域のどの部分も毛髪分析領域Ｂ１００に入らないように、様々な例示的な実施形態において選択されてもよい。
【００３８】
様々な例示的な実施形態において、毛髪分析領域Ｂ１００は、任意の形態をとってもよく、例えば、毛髪分析領域Ｂ１００は、矩形である以外に、三角形、３本または４本以外の辺数を有する多角形、楕円、円であってもよくまたは任意の他の方法で成形されてもよい。例えば、毛髪分析領域Ｂ１００は、毛髪１０２（例えば、主に毛髪、すなわち、例えば眉毛、あごひげなどがない）が描かれている（毛髪表示領域とも呼ばれる）デジタル画像１００に表示された全領域を含んでもよい。毛髪表示領域は、毛髪１０２を描写し、且つ、複数の個々の領域に存在する連続領域または領域を形成することができる、デジタル画像１００の複数の画像ドットを含んでもよい。毛髪領域を配置可能な平面は、例えばデジタル画像のｘ軸およびｙ軸によって決定され得る。
【００３９】
毛髪分析領域Ｂ１００が毛髪表示領域全体を含む様々な例示的な実施形態において、毛髪分析領域Ｂ１００は、結果的に、例えば、単一の毛髪分析領域Ｂ１００としての複数部の領域の場合であっても、線形領域の比率および／または線形領域の分布に対して値を決定するため等の続く分析のために検査することができる、一部または複数部の領域を有してよい。
【００４０】
様々な例示的な実施形態において、少なくとも１つの毛髪分析領域Ｂ１００は、複数の毛髪分析領域Ｂ１００を含んでよい；例えば、図４Ａの毛髪分析領域Ｂ１００＿１、Ｂ１００＿２、または図４Ｂの毛髪分析領域Ｂ１００＿３、Ｂ１００＿４を参照のこと。様々な例示的な実施形態において、複数の毛髪分析領域Ｂ１００＿１、Ｂ１００＿２およびＢ１００＿３、Ｂ１００＿４のそれぞれは、例えば線形領域の比率の値および／または線形領域の分布の値を確認するために、後続の分析において別々に分析され得る。すなわち、線形領域の比率の値および／または線形領域の分布の値は、複数の毛髪分析領域Ｂ１００＿１、Ｂ１００＿２およびＢ１００＿３、Ｂ１００＿４のそれぞれに対して別々に確認され得る。
【００４１】
様々な例示的な実施形態において、少なくとも１つの毛髪分析領域Ｂ１００の決定は、毛髪表示領域の決定と、少なくとも１つの毛髪分析領域Ｂ１００の定義とを含み得る。例えば、少なくとも１つの毛髪分析領域Ｂ１００を定義することは、上述したように、例えば所定の条件を含めて、データ処理装置によって例えば自動化された方法で、毛髪表示領域の全体が毛髪分析領域Ｂ１００として定義される、および／または１つ以上の毛髪分析領域Ｂ１００が定義され得ることを意味してもよい。例えば、毛髪分析領域Ｂ１００のサイズおよび／または数は、例えばユーザによって事前に定義され得り、そして、毛髪分析領域Ｂ１００は、例えば、毛髪分析領域Ｂ１００の間において、毛髪表示領域ができるだけ均一にさらに覆われるなどのように、例えば適切なソフトウェアによって自動化された方法で定義され得る。
【００４２】
様々な例示的な実施形態において、少なくとも１つの毛髪分析領域Ｂ１００に描かれている毛髪１０２の毛髪プロファイルを決定することができ、毛髪分析領域に描かれている全ての毛髪の毛髪プロファイルは、全体の毛髪プロファイルを形成することができる。
【００４３】
様々な例示的な実施形態において、毛髪プロファイルを決定するために、画像座標ｘ、ｙによって決定される位置において、画像ドットが関連する強度値を有する、毛髪分析領域Ｂ１００においてエッジ検出を実行することができる。例えば位置依存強度値の一次導関数を使用する既知の方法がエッジ検出に適用されることができ、毛髪分析領域における考慮された方向に沿って配置された画像ドットについて、この方向に沿って領域が識別され、それぞれの関連する強度値は、大幅に減少または増加する（例えば、事前に定義された限界値よりも大幅に大きい）。方向を考慮して、考慮された方向に対してある角度で、例えばそれに対して垂直に延びるエッジを決定することが可能であり得る。異なる方向を考慮することによって、毛髪分析領域Ｂ１００における毛髪１０２の毛髪プロファイルは、異なる方向で確認され得る。
【００４４】
以下の式は、毛髪プロファイルの説明のために様々な例示的な実施形態において使用され得る。
【００４５】
画像座標ｘ、ｙにそれぞれ依存する２つの関数ｆ、ｇの重み付き内積は、以下によって表すことができる：
【数１】
2020500370.tif 000003
ここで、ｗ（ｘ，ｙ）≧０は、毛髪分析領域Ｂ１００を記述する重み関数である。毛髪分析領域の中心点は、（ｘ０，ｙ０）にあってよい。
【００４６】
そして、単位ベクトルｕθ＝（ｃｏｓθ，ｓｉｎθ）によって記述される特定の方向θにおける一次導関数は、以下によって記述されることができる。
【数２】
2020500370.tif 000004
ここで、▽ｆ（ｘ，ｙ） は、考慮対象の画像の勾配である。
【００４７】
方向導関数が最大化される方向ｕθｍａｘ’は、以下によって確認され得る。
【数３】
2020500370.tif 000005
これは、
【数４】
2020500370.tif 000006
に変換され得る。
ここで、
【数５】
2020500370.tif 000007
は、構造テンソルとして知られているものであり、正定値行列または定義された２×２行列である。
【００４８】
式（２）の解は、ｕにかかる
【数６】
2020500370.tif 000008
の一次導関数がゼロに設定されることで確認可能であり、それは、以下： 
【数７】
2020500370.tif 000009
の単位ベクトル方程式を導く。
【００４９】
一次導関数が最小化され得る、すなわち、毛髪分析領域Ｂ１００の主方向θＨ（すなわち、個々の毛髪１０２が毛髪分析領域Ｂ１００において延びることが好ましい方向）に、明らかに対応してよい最小エッジが遭遇され得るＪの固有値λｍｉｎは、したがって、
【数８】
2020500370.tif 000010
から提供される。Ｊの最大固有値λｍａｘは、主方向に対して垂直な方向を規定する。
【００５０】
真直度値を決定するために、配向とも呼ばれる主方向θＨが以下：
【数９】
2020500370.tif 000011
から決定され得る。
【００５１】
主方向θＨの値は、それ自体、様々な例示的な実施形態においては関係ないかもしれないが、それは、例えばヘアスタイル（または毛髪１０２）がｘおよびｙ座標に対してどのように配置されているかに依存することから、通常のカウントでは０°が東／右を指し、反時計回りの角度がカウントされることに留意すべきである。
【００５２】
コヒーレンスは、主方向の支配性がどの程度強いかについての尺度を明確に記述可能である（例えば、描かれた複数の個々の構造（ここでは、個々の毛髪）が支配的な主方向を有する場合、コヒーレンスは１としてよく、複数の個々の構造（例えば、個々の毛髪）が等方性分布の場合には０としてよい）。
【００５３】
コヒーレンスＣは、以下：
【数１０】
2020500370.tif 000012
から確認可能である。
【００５４】
これは、例えば図１Ｂに示されるように、互いに略平行に延び得るストレートヘアの場合、および／または、例えば３０°未満、例えば２０°未満、例えば１０°未満、例えば５°未満など、個々の毛髪のプロファイルが互いにわずかな角度差しか有さない場合、前記毛髪は、例えば０．５よりも大きい、例えば０．６よりも大きい、例えば０．７よりも大きい、例えば０．８よりも大きい、例えば０．９よりも大きい、例えば１に近いなど、高いコヒーレンス値を有することができ、一方、例えば図１Ａに示されるように、カーリーヘアの場合、および／または、例えば４０°超、例えば５０°超、例えば７５°超、例えば９０°超など、個々の毛髪のプロファイルが互いに大きな角度差を有する場合、例えば０．５未満、例えば０．４未満、例えば０．３未満、例えば０．２未満、例えば０．１未満、例えば０に近いなど、低いコヒーレンス値を有し得ることを意味する。
【００５５】
したがって、様々な例示的な実施形態において、毛髪プロファイルの主方向に対して、全体の毛髪プロファイルを設定することが可能な、確認されたコヒーレンスは、ヘアスタイルの真直度値として使用することができる。真直度値のコヒーレンスは、ヘアスタイルの真直度についての定量的尺度を形成することができる。したがって、ヘアスタイルがデジタル画像１００内に完全に描かれることができ且つ毛髪分析領域Ｂ１００がヘアスタイル全体を含む様々な例示的な実施形態において、１つの毛髪分析領域Ｂ１００のコヒーレンスは、ヘアスタイル全体についての真直度値に対応し得る。ヘアスタイルがデジタル画像１００内に部分的にしか存在しない、および／または、少なくとも１つの毛髪分析領域Ｂ１００がヘアスタイル全体を含まない様々な例示的な実施形態において、少なくとも１つの毛髪分析領域Ｂ１００のコヒーレンスは、少なくとも１つの毛髪分析領域Ｂ１００の代表的なヘアスタイルについての真直度値に対応し得る。様々な例示的な実施形態において、このようにして確認された複数の真直度値に基づいて、ヘアスタイル全体の真直度を評価するために、複数の毛髪分析領域Ｂ１００が評価され得る。
【００５６】
明確に説明したように、上記の様々な例示的な実施形態において、少なくとも１つの毛髪分析領域Ｂ１００内の画像ドットのそれぞれについて、そこに描かれた構造（すなわち、毛髪１０２）がどの方向に（例えば、どの角度で）延びているかを確認することが可能であり、これらの方向に基づいて主方向（配向または支配的方向とも呼ばれる）を確認することができ、次いで、主方向にほぼ関連する、画像ドットの総数からの画像ドットの比率が、毛髪１０２の真直度の尺度として確認可能であり、等方性分布に対して０のコヒーレンスを与え、主方向に沿った全てまたは実質的に全ての画像ドットが主方向に沿った配向に対して１のコヒーレンスを与えるようにして、コヒーレンスとして表される尺度を標準化することができる。
【００５７】
毛髪１０２の真直度の尺度としてコヒーレンスを使用することにより、様々な例示的な実施形態において、構造テンソルは、上述したように確認可能であり、画像１００の各画素に対して定義される。様々な例示的な実施形態において、コヒーレンスは、構造テンソル全体から導出される。
【００５８】
様々な例示的な実施形態において、コヒーレンスは、画像内の線形成分についての尺度とすることができる。
【００５９】
様々な例示的な実施形態において、主方向θＨを決定するためにフーリエ成分分析が実行され得る。これは、フーリエスペクトル分析に基づいていてもよい。ここで、フーリエ変換画像内の（例えば）矩形画像における主方向を有する構造は、構造の主方向に対して＋９０°ずれた第２の方向の周期的パターンを生成してよい。
【００６０】
様々な例示的な実施形態において、毛髪分析領域Ｂ１００は、例えば矩形の毛髪分析領域部分に分割可能であり、そのそれぞれについてフーリエ性能スペクトルを計算可能である。性能スペクトルは、極座標で分析可能であり、性能は、物理的フィルタを使用して各角度（すなわち、各方向）について測定され得る。
【００６１】
個々の画像ドットのそれぞれについて確認された角度は、角度−頻度分布として表され得る。様々な実施形態において、分布関数、例えばガウス曲線は、角度−頻度分布に適合させることができ、その中心点は、主方向θＨを規定することができる。
【００６２】
様々な例において、分布関数の信頼性範囲が、ヘアスタイルの真直度値として使用可能である。例えば、ガウス曲線の標準偏差は、真直度値を形成し得る。これらのデータもやはり、循環データであり、すなわち、角度偏差は、散乱に対する尺度として適切であり得る。
【００６３】
主方向および真直度値を確認するための上記方法は、単に説明のために役立つ。代替的にまたは追加的に、実質的に一方向に延びるように配置されている（または、直線状でない、またはほんのわずかに直線状である）画像１００内に示される毛髪１０２の特性を定量化するために、他の既知の数学的方法を使用することも可能である。
【００６４】
様々な例示的な実施形態において、上述した計算のためにソフトウェアを使用することができる。ここで、上述した関数を提供する任意のソフトウェアを使用可能である。様々な例示的な実施形態において、例えばスマートフォンまたはタブレットを使用して、ヘアスタイルの真直度値を確認する方法を実行する場合には、ソフトウェアをアプリとして提供することができる。
【００６５】
以下において、とりわけコラーゲン線維などの原線維細胞構造を分析するために開発された様々なプラグインを提供し、且つ、主方向θＨおよび真直度値を確認するのに適し得る、既知のソフトウェアパッケージ「ＩｍａｇｅＪ」（ｈｔｔｐ：／／ｉｍａｇｅｊ．ｎｅｔ）の使用例について説明する。
【００６６】
図２Ａおよび図２Ｂにおいて、図１Ａからの（図２Ａにおける）カーリーヘアおよび図１Ｂからの（図２Ｂにおける）ストレートヘアに対する、様々な例示的な実施形態にかかるプラグイン「Ｄｉｒｅｃｔｉｏｎａｌｉｔｙ」（詳細については、ｈｔｔｐ：／／ｉｍａｇｅｊ．ｎｅｔ／Ｄｉｒｅｃｔｉｏｎａｌｉｔｙを参照）の適用の結果がグラフ形式で示されている。
【００６７】
それぞれ画像全体を含む、画像１００ａ、１００ｂおよびその中に定義された毛髪分析領域は、７００×７００画像ドットの解像度を有し、比較可能な色およびコントラストが両方の画像において提供される。
【００６８】
図２Ａにおいて、毛髪分析領域Ｂ１００（ここでは、実質的に画像領域全体）内の個々の画像要素の頻度分布は、角度（度の方向）に応じた画像要素の数（例えば、相対頻度）として表される棒グラフの形式で上部ウィンドウに示されている。それに適合されたガウス曲線が（実線として）さらに示されている。
【００６９】
図２Ａに基づいて分かるように、カーリーヘア１０２を有する画像１００ａの頻度分布は、全ての角度にわたって広がり、単におよそ３つの非常に広い最大頻度を有する分布を有する。
【００７０】
図２Ａの下部ウィンドウには、適応されたガウス曲線の中心点に基づいて確認された主方向θＨ（「方向」）、ガウス曲線の標準偏差（「分散」）、標準偏差内で合計された頻度を規定する量、およびガウス曲線適応の質を列挙する計算結果が示されている。
【００７１】
結果は、図１Ａからのカーリーヘア１０２については、目的にかなった適応が達成されず、適応の質が０．２５という低い値で評価されることを示している。これは、（θＨ＝−２０．２０°の）方向が（約−７０°、約−３５°および約２０°にある）最大頻度のうちの１つと一致せず、分散について確認された目的にかなった値でもないためである（確認された２０９０６．８７°という値は、−９０°から＋９０°まで広がる頻度分布よりも数倍も広い）。非常に広い分散を考慮すると、このように全角度範囲にわたって合計される量は、１．００（すなわち、画像要素の１００％）にあることが理解できる。
【００７２】
したがって、確認された値、特に真直度値として使用される分散は、毛髪分析領域Ｂ１００に示される毛髪１０２が直線状ではないことを反映する。
【００７３】
対照的に、上部ウィンドウにおける図１Ｂからのストレートヘア１０２について図２Ｂに示される結果は、約３０°から５０°の間の範囲に強く集中した頻度分布、すなわち、下部ウィンドウにおいて特定されるように、（０から１までのスケールで０．９９という非常に良好な適合度を有する）適応されたガウス曲線の最大値が確認された主方向θＨ＝３８．２４°に対応する単峰性分布を示している。
【００７４】
分散として特定された標準偏差について、２．４８°の適切な値が与えられ、毛髪分析領域Ｂ１００の画像要素の７５％が（３８．２４°−２．４８°）から（３８．２４°＋２．４８°）の方向範囲内にある。
【００７５】
したがって、図１Ｂからの画像中の毛髪プロファイルが実質的に同じ方向に延び、したがって毛髪１０２が直線状であることは、真直度値または分散として定量的に表される。
【００７６】
図３Ａおよび図３Ｂにおいて、様々な例示的な実施形態にかかるヘアスタイルの真直度値を確認するための方法の結果を示す表が示されており、構造テンソルを利用する上述した方法がこれらの結果を決定するために適用された。
【００７７】
ここでは、プラグイン「ＯｒｉｅｎｔａｔｉｏｎＪ」（詳細については、ｈｔｔｐ：／／ｂｉｇｗｗｗ．ｅｐｆｌ．ｃｈ／ｄｅｍｏ／ｏｒｉｅｎｔａｔｉｏｎを参照）をソフトウェアとして使用した。
【００７８】
図３Ａは、図１Ａからのカーリーヘアについての結果を示し、図３Ｂは、図１Ｂからのストレートヘアについての結果を示す。
【００７９】
カーリーヘアの場合、配向、すなわち主方向θＨ＝−６１．０９°が決定され、さらにまた、（１のコヒーレンス値を有する）明白な好ましい方向よりも（０のコヒーレンス値を有する）等方性分布にはるかに近い低い値である０．１６０というコヒーレンスが決定される。
【００８０】
ストレートヘアの場合、配向、すなわち主方向θＨ＝４０．７４°が決定され、さらにまた、等方性分布よりも明白な好ましい方向を有する分布にはるかに近い０．９０４という高いコヒーレンスが決定される。
【００８１】
異なる真直度のヘアスタイルを有する画像の識別を可能にし、且つ、ヘアスタイルの真直度を決定付けることが可能なヘアスタイルの線形比率を定量化するために、分散およびコヒーレンスの両方が様々な例示的な実施形態において適切であり得る。
【００８２】
様々な例示的な実施形態において、様々な矯正方法の有効性の迅速な定量分析が可能となる。
【００８３】
図４Ａおよび図４Ｂは、様々な例示的な実施形態にかかる、ヘアスタイルの真直度値を確認するための方法を説明するグラフィカル図を示している。
【００８４】
様々な例示的な実施形態において、異なるサイズの複数の毛髪分析領域Ｂ１００を使用することができる。
【００８５】
様々な例示的な実施形態において、本方法は、複数の毛髪分析領域Ｂ１００（ここでは、例えばＢ１００＿１、Ｂ１００＿２）のサイズに対する、決定されたヘアスタイルの真直度値の関係を作成することを含んでもよい。
【００８６】
様々な例示的な実施形態において、異なるサイズの複数の毛髪分析領域Ｂ１００は、同じ中心点位置を有してもよく、すなわち、毛髪分析領域Ｂ１００は、同じ中心点を中心としてもよい。
【００８７】
図４Ａにおいて、異なるサイズの２つの毛髪分析領域Ｂ１００＿１およびＢ１００＿２が画像１００ａに示されている。
【００８８】
様々な例示的な実施形態において、２つの毛髪分析領域Ｂ１００＿１、Ｂ１００＿２は、互いに別々に分析され得る。
【００８９】
毛髪分析領域Ｂ１００＿１は、全体画像１００ａを含む上述した毛髪分析領域Ｂ１１に対応してよく、一方、他方の毛髪分析領域Ｂ１００＿２は、より小さくてもよい。
【００９０】
様々な例示的な実施形態において、異なるサイズの複数の毛髪分析領域Ｂ１００＿１、Ｂ１００＿２を使用して、カーリーヘアを識別するための基準点を取得することができ、より小さい毛髪分析領域Ｂ１００の基準点は、より小さい分散および／または大きいコヒーレンスを有する主方向を有してもよく、より大きな毛髪分析領域Ｂ１００については、大きい分散および／または小さいコヒーレンス、ならびに乱雑な毛髪を有してもよく、例えば毛髪分析領域の各サイズについては小さいコヒーレンスおよび／または大きい分散を有する実質的に等方性分布を有してもよい。
【００９１】
様々な例示的な実施形態において、毛髪分析領域Ｂ１００の大きさを制限すること（これは、アンダーショットの場合、コヒーレンスについての所定の最小値を超えることおよび／または分散についての所定の最大値を下回ることを意味する）によって、線形（例えば、直線）構造のサイズを、例えば画像要素の数として、および／または、例えば物理的寸法、例えばセンチメートルの形式での、物理的サイズ単位に対する画像要素のサイズの関連付けの存在によって、確認することが可能である。
【００９２】
図４Ａに基づいて分かるように、図３Ａに示すような毛髪分析領域Ｂ１００＿１は、低いコヒーレンスおよび高い分散を有する毛髪１０２を含んでよく、したがって、主方向θの目的にかなった仕様を提供可能であるようには思われない。
【００９３】
対照的に、より小さい毛髪分析領域Ｂ１００＿２では、約−７０°にあり得る主方向θを有する毛髪が表示され得り、さらに、コヒーレンスが比較的高く且つ分散が比較的低くなり得ることが予想可能である。その結果、毛髪分析領域のサイズ（例えば、エッジ長）にほぼ対応するサイズを有する直線状の毛髪構造が、より小さい毛髪分析領域Ｂ１００＿２に存在してよい。
【００９４】
様々な例示的な実施形態において、異なる中心点位置を有する複数の異なる位置にある毛髪分析領域Ｂ１００、例えば毛髪分析領域Ｂ１００＿３、Ｂ１００＿４を使用することができる。
【００９５】
様々な例示的な実施形態において、本方法はまた、複数の毛髪分析領域Ｂ１００（ここでは、例えばＢ１００＿３、Ｂ１００＿４）の中心点位置に対する、確認されたヘアスタイルの真直度値の関係を作成することも含んでよい。
【００９６】
様々な例示的な実施形態において、複数の異なる位置にある毛髪分析領域Ｂ１００は、異なっていても同じサイズを有していてもよい。
【００９７】
図４Ｂでは、２つの異なる位置にある毛髪分析領域Ｂ１００＿３およびＢ１００＿４が画像１００ｂに示されている。
【００９８】
様々な例示的な実施形態において、２つの毛髪分析領域Ｂ１００＿３、Ｂ１００＿４は、互いに別々に分析され得る。
【００９９】
様々な例示的な実施形態において、複数の異なる位置にある毛髪分析領域Ｂ１００＿３、Ｂ１００＿４を使用して、ヘアスタイルにおけるストレートヘアおよび／またはカーリーヘアの分布の基準点を取得することができる。例えば、ヘアスタイルにおいて、頭皮に近い毛髪１０２は、ストレートであってよいが、先端に近い毛髪は、カーリーであってもよい。
【０１００】
図４Ｂに示される例では、毛髪分析領域Ｂ１００＿３は、大きい分散および／または小さいコヒーレンスの主方向を有してよく、一方、毛髪分析領域Ｂ１００＿４は、小さい分散および／または小さいコヒーレンスを有してよい。
【０１０１】
毛髪表示領域に分布する毛髪分析領域Ｂ１００を用いることによって、例えば毛髪表示領域がヘアスタイル全体を含む場合に、毛髪表示領域内の直線領域を識別することができる。
【０１０２】
様々な例示的な実施形態において、複数の毛髪分析領域Ｂ１００を平均化することができる。これは、循環統計学の分野からの適切な方法の使用によって達成され得る。
【０１０３】
様々な例示的な実施形態において、ヘアスタイルの真直度値を決定するための方法は、例えば、コンディショナー、ヘアマスク、パーマ、リラクサー、ストレーナーおよび／または矯正アイロンを用いて、矯正方法を適用する前に決定することができる。したがって、例えば、毛髪のトリートメントが必要かどうか、またはどの地点で必要となるかを確認することができる。
【０１０４】
代替的にまたは追加的に、真直度値は、矯正方法の適用後に様々な例示的な実施形態において確認され得る。したがって、例えば、矯正方法の有効性を確認することができる。このために、矯正前の真直度比に対する矯正後の真直度値の比を、様々な例示的な実施形態において確認可能である。
【０１０５】
様々な例示的な実施形態において、ヘアスタイルの真直度値を決定するための方法を使用して、矯正方法の有効性を確認することができる。
【０１０６】
様々な例示的な実施形態において、スマートフォン、タブレット、ラップトップなどが、ヘアスタイルの真直度値を確認するための方法を実行するに適切であり得る。様々な例示的な実施形態において、ソフトウェアは、スマートフォン、タブレット、ラップトップなどで作成される必要はない。例えば、スマートフォンなどがインターネットによってコンピュータに接続されていれば十分としてもよい。そのような場合、例えばコンピュータによって計算が実行可能であり、その結果が、スマートフォン／タブレットなどに提供され得る。
【０１０７】
図５は、様々な例示的な実施形態にかかる、ヘアスタイルの真直度値を確認するための方法のフロー図５００を示している。
【０１０８】
様々な例示的な実施形態において、本方法は、毛髪が描かれているデジタル画像中で少なくとも１つの毛髪分析領域を確認および／または定義する工程（５１０）と、少なくとも１つの毛髪分析領域に描かれている毛髪の毛髪プロファイルを確認する工程（５２０）（ここで、該毛髪分析領域に描かれた全ての毛髪の毛髪プロファイルが全体の毛髪プロファイルを形成する）と、毛髪プロファイルの主方向を確認する工程（５３０）と、毛髪プロファイルの主方向および全体の毛髪プロファイルに基づいてヘアスタイルの真直度値を確認する工程（５４０）とを含んでいてよい。
【０１０９】
図４Ｃおよび図４Ｈは、様々な例示的な実施形態にかかる、ヘアスタイルの真直度値を確認するための方法で使用するために異なる程度に矯正された毛髪の画像１００ｃ、１００ｄ、１００ｅ、１００ｆ、１００ｇおよび１００ｈを示している。
【０１１０】
ヘアスタイルの真直度値を確認するための方法において、コヒーレンス、すなわち、コヒーレンス値が、例えば上述したように、画像１００ｃから１００ｈのそれぞれについて様々な例示的な実施形態において確認された。
【０１１１】
様々な画像の比較可能性を高めるために、個々の画像は、様々な例示的な実施形態において画像処理ソフトウェアを使用して標準化される。例えば、画像１００は、例えばそれらの画素数が一致するという意味でおよび／または画像内に描かれた毛髪の実際の寸法が同じもしくは同様であるという意味で、分析に使用される画像細部１００Ｂが同じサイズになるように処理されることができる。さらにまた、標準化のために、例えばカラー画像は、グレースケール画像に変換され、および／または、画像１００が類似または同一の強度値範囲などを網羅するように画像の強度がスケーリングされる。
【０１１２】
様々な例示的な実施形態において、画像１００のうちの１つ以上を画像処理ソフトウェアを用いて改善することができ、例えばシャープネスおよび／またはコントラストを高めることができ、それによってエッジプロファイルの識別を容易にすることができる。様々な例示的な実施形態において、Ｐｈｏｔｏｓｈｏｐ  Ｌｉｇｈｔｒｏｏｍ  ６または任意の他の適切な画像処理ソフトウェアが、画像の標準化および／または改善のために使用され得る。
【０１１３】
図４Ｃから図４Ｈの画像について、確認されたコヒーレンス値を以下の表に示す：
【表１】
2020500370.tif 000013
【０１１４】
したがって、確認されたコヒーレンス値に基づいて、上昇する真直度に関する以下の順序が決定され得る：
画像４＞画像６＞画像５＞画像２＞画像１＞画像３。
【０１１５】
描かれたヘアスタイルの真直度に関する画像の視覚的評価との比較に基づいて、コヒーレンスが真直度値の評価を可能にすることに対する信頼性を評価することができる。
【０１１６】
この目的のために、２０人の異なる評価者が、目視検査後の真直度の増加にしたがって画像１００ｃ、１００ｄ、１００ｅ、１００ｆ、１００ｇおよび１００ｈを分類し、コヒーレンス値をランクに変換し、これらをスピアマンのランク相関に基づく評価者の視覚的に決定されたランク順位と比較した。ｒｓ＝０．８というスピアマンのランク相関係数が決定され、これは、認識するのが困難な相違を考慮すると良い値であると見なすことができる（評価者団の間で明確な変動も見られた）。
【０１１７】
図６は、様々な例示的な実施形態にかかる、ヘアスタイルの真直度値を決定するための装置６００のグラフィカル描写を示している。
【０１１８】
様々な例示的な実施形態において、装置６００は、毛髪の真直度値を決定するためのデータ処理装置６６０を含んでいてもよい。
【０１１９】
データ処理装置６６０は、例えば、コンピュータ、タブレット、スマートフォン、ラップトップ、または様々な例示的な実施形態にかかるコンピュータ支援による毛髪色相談のための方法を実行するに適した任意の他のデータ処理装置であってもよい。簡単にするために、本明細書におけるデータ処理装置６６０はまた、コンピュータ６６０とも呼ばれる。データ処理装置６６０は、プロセッサ６６２、例えばマイクロプロセッサを含んでもよい。
【０１２０】
様々な例示的な実施形態において、装置６００は、ヘアスタイルの真直度値を決定するための表示装置６６４を含んでいてもよい。
【０１２１】
表示装置６６４は、例えば、スマートフォンの画面、ＰＣの画面、ラップトップの画面、またはヘアスタイルの真直度値を決定する他の装置６００の画面であってよい。表示装置６６４は、例えば、ヘアスタイルの真直度値を決定する方法、またはその方法を実行するための入力パラメータを要求する方法などの結果を表示するために使用されてもよい。
【０１２２】
表示装置６６４は、第１のデータ接続部６７０によってデータ処理装置６６０に接続されてもよい。表示装置６６４は、第１のデータ接続部６７０によってデータ処理装置６６０とデータを交換してもよい。装置６００がスマートフォン、タブレットなどを含む場合、表示装置６６４および第１のデータ接続部６７０は、装置６００に一体化されていてもよい。
【０１２３】
様々な例示的な実施形態において、装置６００は、ヘアスタイルの真直度値を決定するためのカメラ６６６を含んでもよい。
【０１２４】
カメラ６６６は、例えばユーザの毛髪などの毛髪のデジタル画像１００を記録するように様々な例示的な実施形態にしたがって設計され得る。
【０１２５】
様々な例示的な実施形態にかかる少なくとも１つのカメラ６６６は、デジタルカメラまたはビデオカメラ、すなわち、複数の個々の画像を時系列として記録するように設計可能なカメラ１０４を含んでもよい。
【０１２６】
様々な例示的な実施形態において、装置６００は、ヘアスタイルの真直度値を決定するためにコンピュータ６６０とカメラ６６６との間に第２のデータ接続部６７４を含んでもよい。例えばカメラ６６６の（例えば従来の）ソフトウェア制御のために、第２のデータ接続部６７４によって、コンピュータ６６０からカメラ６６６にデータが送信され得る。さらにまた、データ、例えばカメラ６６６によって記録されたデジタル画像は、第２のデータ接続部６７４によってコンピュータ６６０に送信され得る。装置６００がスマートフォン、タブレットなどを含む場合、カメラ６６６および第２のデータ接続部６７４は、装置６００に一体化されていてもよい。
【０１２７】
様々な例示的な実施形態において、例えばデータ送信によるなどの何らかの他の方法で例えばデータ処理装置６６０がデジタル画像１００を提供する場合、ヘアスタイルの真直度値を決定する装置６００において、カメラ６６６を省くことが可能である。
【０１２８】
例えば既知の方法で受信した画像において毛髪表示領域を決定するため、および、様々な例示的な実施形態について上述したようにヘアスタイルの真直度値を決定するために、データ処理装置６６０は、カメラ６６６からまたは何らかの他の方法で受信した画像を、例えばプロセッサ６６２を使用して、画像処理ソフトウェアにより処理するように設計することができる。画像処理ソフトウェアは、様々な例示的な実施形態においてアプリを含み得る。
【０１２９】
様々な例示的な実施形態において、データ処理装置６００は、データ処理装置６００に情報を提供するための入力装置６６８、例えばキーボード、マウス、表示装置６６４のタッチセンシティブ面などを含んでいてもよい。
【０１３０】
入力装置６６８は、第３のデータ接続部６７２によってデータ処理装置６６０に接続されていてもよい。入力装置６６８は、第３のデータ接続部６７２によってデータ処理装置６６０とデータを交換してもよい。装置６００がスマートフォン、タブレットなどを含む場合、入力装置６６８および第３のデータ接続部６７２は、装置６００に一体化されていてもよい。
【０１３１】
本方法のさらなる有利な実施形態は、装置の説明から明らかになり、またその逆も成り立つ。
【０１３２】
毛髪のうねりの強さは、毛髪のトリートメントの成功に影響を与える。毛髪のうねりの強さは、特に栄養剤による毛髪のトリートメントに影響を与える。したがって、ヘアスタイルの真直度値の決定後に、確認された真直度値に応じて個々のトリートメントアドバイスを出力することができる。
【０１３３】
したがって、本発明のさらなる主題は、個別対応型のアトリートメント方法であって、以下の工程：
ａ）請求項１〜１３のいずれかに記載の方法によって個人のヘアスタイルの真直度値を確認する工程、および
ｂ）確認された真直度値に応じて個別のトリートメント指示を出力する工程
を特徴とする方法である。
【０１３４】
個々のトリートメント指示は、ヘアトリートメント製品、特にヘアケア製品の推奨を含むことが好ましい。推奨は、特定の製品名またはヘアトリートメント剤の表示または指定を含んでもよい。あるいは、推奨は、製造業者の製品ラインまたは範囲の表示または仕様を含んでもよい。
【０１３５】
個々のトリートメントアドバイスは、問題の個人のヘアスタイルの真直度値を決定すること、およびＱＲコード（登録商標）、ＮＦＣチップ、バーコードまたはＲＦＩＤチップに基づいてその個人に識別されることができるヘアトリートメント製品の使用に対する使用／推奨を推奨することからなることも好ましい。
【０１３６】
個々のトリートメントアドバイスはまた、ヘアトリートメント製品、特にヘアケア製品の化学組成を確認することにあってもよい。
【０１３７】
あるいは、個々のトリートメントアドバイスは、個人に対して個別に製造されたヘアトリートメント製品、特にヘアケア製品の使用をその個人に推奨すること、および好ましくは個々のヘアケア製品の製造業者のウェブサイトをロードすることによって注文プロセスを開始することからなってもよい。
【０１３８】
ヘアスタイル／毛髪が低い真直度値、例えば０．３未満のコヒーレンスを有する個人には、高い割合の脂肪分または油分を含有する成分を含有する栄養製品を使用することが勧められるが、好ましくはコヒーレンスが０．６を超える、高い真直度値を有するヘアスタイル／毛髪については、低い割合の脂肪分または油分を含有する成分を有するヘアケア製品が推奨されることが好ましい。
【図１Ａ】
2020500370.tif 000014
【図１Ｂ】
2020500370.tif 000015
【図２Ａ】
2020500370.tif 000016
【図２Ｂ】
2020500370.tif 000017
【図３Ａ】
2020500370.tif 000018
【図３Ｂ】
2020500370.tif 000019
【図４Ａ】
2020500370.tif 000020
【図４Ｂ】
2020500370.tif 000021
【図４Ｃ】
2020500370.tif 000022
【図４Ｄ】
2020500370.tif 000023
【図４Ｅ】
2020500370.tif 000024
【図４Ｆ】
2020500370.tif 000025
【図４Ｇ】
2020500370.tif 000026
【図４Ｈ】
2020500370.tif 000027
【図５】
2020500370.tif 000028
【図６】
2020500370.tif 000029
【国際調査報告】
2020500370.tif 000030
2020500370.tif 000031
2020500370.tif 000032
2020500370.tif 000033
2020500370.tif 000034
2020500370.tif 000035